(57)【要約】【課題】、ＲＡＭディスク用のメモリー領域の空き領域の用途を、ユーザーの要望に応じて決める。【解決手段】メモリー管理部１１８により、ＲＡＭ１１５の画像データ記憶領域を管理し、画像データ記憶領域にＲＡＭディスク用メモリー領域を割り当て、パネル操作制御部１１９により、パネル部１０５を介し、機能の使用領域の割り当てを受け付け、システム制御部１２１により、パネル操作制御部１１９が機能の使用領域の割り当てを受け付けると、ＲＡＭディスク用メモリー領域に空き領域が有る場合、メモリー管理部１１８に対し、空き領域を機能の使用領域に割り当てさせる。これにより、ＲＡＭディスク用メモリー領域に空き領域が有る場合、空き領域を任意の機能の使用領域に割り当てることができる。【選択図】図１
2018088053.tif 000002
【特許請求の範囲】
【請求項１】
メモリーの画像データ記憶領域を管理し、前記画像データ記憶領域にＲＡＭディスク用のメモリー領域を割り当てるメモリー管理部と、
パネル部を介し、機能の使用領域の割り当てを受け付けるパネル操作制御部と、
前記パネル操作制御部が前記機能の使用領域の割り当てを受け付けると、前記ＲＡＭディスク用のメモリー領域に空き領域が有る場合、前記メモリー管理部に対し、前記空き領域を前記機能の使用領域に割り当てさせるシステム制御部とを備える
ことを特徴とする画像形成装置。
【請求項２】
前記パネル操作制御部は、前記ＲＡＭディスクのサイズの変更を受け付け、
前記システム制御部は、前記パネル操作制御部が前記ＲＡＭディスクのサイズの変更を受け付けると、前記メモリー管理部に対し、前記ＲＡＭディスク用のメモリー領域のサイズを変更させる
ことを特徴とする請求項１に記載の画像形成装置。
【請求項３】
メモリー管理部により、メモリーの画像データ記憶領域を管理し、前記画像データ記憶領域にＲＡＭディスク用のメモリー領域を割り当てる工程と、
パネル操作制御部により、パネル部を介し、機能の使用領域の割り当てを受け付ける工程と、
システム制御部により、前記パネル操作制御部が前記機能の使用領域の割り当てを受け付けると、前記ＲＡＭディスク用のメモリー領域に空き領域が有る場合、前記メモリー管理部に対し、前記空き領域を前記機能の使用領域に割り当てさせる工程とを画像形成装置を制御するコンピューターに実行させる
ことを特徴とする画像形成プログラム。
【発明の詳細な説明】
【技術分野】
【０００１】
本発明は、ＲＡＭ（Ｒａｎｄｏｍ  Ａｃｃｅｓｓ  Ｍｅｍｏｒｙ）ディスクの使用に適した画像形成装置及び画像形成プログラムに関する。
【背景技術】
【０００２】
たとえば、ＭＦＰ（Ｍｕｌｔｉｆｕｎｃｔｉｏｎ  Ｐｅｒｉｐｈｅｒａｌ）などの画像形成装置においては、印刷機能、コピー機能、ＦＡＸ機能、ネットワーク経由でのデータ送受信機能などが搭載されている。また、これらの各種機能を備えた画像形成装置では、既存のＲＡＭの画像データ記憶領域の一部にＲＡＭディスク用の領域を割り当てるメモリー管理機能を搭載した機種も存在している。
【０００３】
このようなメモリー管理機能に関するものとして、特許文献１では、画像データを記憶する領域を含む複数の領域が確保されるＲＡＭと、ＲＡＭ上の領域の配分の情報である配分情報を記憶するフラッシュメモリと、ＲＡＭ上に領域を確保するＯＳと、ＯＳをブートするブート手段と、フラッシュメモリに記憶されている配分情報を変更する配分情報変更手段とを備え、配分情報は、ＲＡＭ上の配分の変更がＯＳの起動後に不可能な領域の配分の情報を含んでおり、ブート手段は、配分情報をＯＳの起動前にＲＡＭに書き込み、ＯＳは、ブート手段によってブートされるとき、フラッシュメモリにアクセス可能となる前に、ＲＡＭに記憶されている配分情報に基づいてＲＡＭ上に領域を確保する画像形成装置を提案している。
【先行技術文献】
【特許文献】
【０００４】
【特許文献１】特開２０１２−０７８９３７号公報
【発明の概要】
【発明が解決しようとする課題】
【０００５】
上述した特許文献１での画像形成装置では、配分情報変更手段によって変更された配分情報に基づいてＯＳがブート時に揮発性記憶装置上に領域を確保するので、揮発性記憶装置上の配分の変更がＯＳの起動後に不可能な領域であるＯＳ起動後配分変更不可領域に対して配分を変更できる。すなわち、ＯＳ起動後配分変更不可領域にＲＡＭディスク用の領域を含んでいる場合、ＲＡＭディスク用の領域の配分を変更できる。
【０００６】
ところが、特許文献１での画像形成装置では、ＲＡＭディスク用の領域の配分を変更できるものの、ＲＡＭディスク用の領域を減らした場合に生ずる空き領域の用途を、ユーザーの要望に応じて決めることができない、という問題がある。
【０００７】
本発明は、このような状況に鑑みてなされたものであり、上記問題点を解消することができる画像形成装置及び画像形成プログラムを提供することを目的とする。
【課題を解決するための手段】
【０００８】
本発明の画像形成装置は、メモリーの画像データ記憶領域を管理し、前記画像データ記憶領域にＲＡＭディスク用のメモリー領域を割り当てるメモリー管理部と、パネル部を介し、機能の使用領域の割り当てを受け付けるパネル操作制御部と、前記パネル操作制御部が前記機能の使用領域の割り当てを受け付けると、前記ＲＡＭディスク用のメモリー領域に空き領域が有る場合、前記メモリー管理部に対し、前記空き領域を前記機能の使用領域に割り当てさせるシステム制御部とを備えることを特徴とする。
また、前記パネル操作制御部は、前記ＲＡＭディスクのサイズの変更を受け付け、前記システム制御部は、前記パネル操作制御部が前記ＲＡＭディスクのサイズの変更を受け付けると、前記メモリー管理部に対し、前記ＲＡＭディスク用のメモリー領域のサイズを変更させることを特徴とする。
本発明の画像形成プログラムは、メモリー管理部により、メモリーの画像データ記憶領域を管理し、前記画像データ記憶領域にＲＡＭディスク用のメモリー領域を割り当てる工程と、パネル操作制御部により、パネル部を介し、機能の使用領域の割り当てを受け付ける工程と、システム制御部により、前記パネル操作制御部が前記機能の使用領域の割り当てを受け付けると、前記ＲＡＭディスク用のメモリー領域に空き領域が有る場合、前記メモリー管理部に対し、前記空き領域を前記機能の使用領域に割り当てさせる工程とを画像形成装置を制御するコンピューターに実行させることを特徴とする。
本発明の画像形成装置及び画像形成プログラムでは、メモリー管理部により、メモリーの画像データ記憶領域を管理し、画像データ記憶領域にＲＡＭディスク用のメモリー領域を割り当て、パネル操作制御部により、パネル部を介し、機能の使用領域の割り当てを受け付け、システム制御部により、パネル操作制御部が機能の使用領域の割り当てを受け付けると、ＲＡＭディスク用のメモリー領域に空き領域が有る場合、メモリー管理部に対し、空き領域を機能の使用領域に割り当てさせる。
これにより、ＲＡＭディスク用のメモリー領域に空き領域が有る場合、空き領域を任意の機能の使用領域に割り当てることができる。
【発明の効果】
【０００９】
本発明の画像形成装置及び画像形成プログラムによれば、ＲＡＭディスク用のメモリー領域に空き領域が有る場合、空き領域を任意の機能の使用領域に割り当てることができるので、ＲＡＭディスク用のメモリー領域を減らした場合に生ずる空き領域の用途を、ユーザーの要望に応じて決めることができる。
【図面の簡単な説明】
【００１０】
【図１】本発明の画像形成装置の一実施形態を説明するための図である。
【図２】図１のパネル部に表示されるＲＡＭディスクの設定画面の一例について説明するものであって、図２（ａ）はＲＡＭディスクのサイズを変更させるＲＡＭディスクサイズ設定画面を示す図であり、図２（ｂ）はＲＡＭディスクの空き領域に対する機能の使用領域の割り当ての優先設定を選択させるＲＡＭディスク優先設定画面を示す図である。
【図３】図１のＲＡＭのメモリーマップの一例について説明するものであって、図３（ａ）はＲＡＭディスクのサイズが変更前である場合を示す図であり、図３（ｂ）はＲＡＭディスクのサイズが縮小された場合を示す図である。
【図４】図１のシステム制御部によるＲＡＭディスクのサイズ変更処理について説明するためのフローチャートである。
【発明を実施するための形態】
【００１１】
以下、本発明の画像形成装置の一実施形態を、図１〜図４を参照しながら説明する。なお、以下の説明においての画像形成装置の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１２】
まず、図１に示すように、ＭＦＰ１００は、スキャナー部１０１、プリンター部１０２、ＦＡＸ部１０３、Ｉ／Ｆ（インターフェース）１０４、パネル部１０５及びＨＤＤ１０６の動作を制御する制御部１１０を備えている。
【００１３】
スキャナー部１０１は、イメージセンサ（図示省略）によって読み取られる、図示しない用紙上の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１４】
Ｉ／Ｆ１０４は、ネットワークを介し、他のＭＦＰ１００やユーザー端末などとの通信を受け持つ。なお、Ｉ／Ｆ１０４は、図示しないコンテンツサーバーやウェブサーバーなどとの通信を受け持ってもよい。パネル部１０５は、たとえばＭＦＰ１００の印刷機能、コピー機能、ＦＡＸ機能、ネットワーク経由でのデータ送受信機能や、各種設定のための表示を行うタッチパネルとハードウェアキーとを有するデバイスである。ＨＤＤ１０６は、ＭＦＰ１００の種々の機能を提供するためのアプリケーションプログラムなどを記憶している記憶デバイスである。また、ＨＤＤ１０６は、ユーザー端末側から登録された印刷ジョブを記憶するユーザーボックスを有している。
【００１５】
制御部１１０は、認証プログラムなどのアプリケーションプログラム、画像形成プログラム、及び制御プログラムなどを実行してＭＦＰ１００全体の動作を制御するプロセッサーである。制御部１１０は、スキャナー制御部１１１、プリンター制御部１１２、ＦＡＸ（Ｆａｃｓｉｍｉｌｅ）制御部１１３、通信制御部１１４、ＲＡＭ（Ｒａｎｄｏｍ  Ａｃｃｅｓｓ  Ｍｅｍｏｒｙ）１１５、ＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ｒｅａｄ−ｏｎｌｙ  ｍｅｍｏｒｙ）１１６、画像処理部１１７、メモリー管理部１１８、パネル操作制御部１１９、ＨＤＤ制御部１２０、システム制御部１２１を備えている。また、これらは、データバス１２２に接続されている。
【００１６】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク経由でのデータなどの送受信の制御を行う。ＲＡＭ１１５は、プログラムを実行するためのワークメモリーである。また、ＲＡＭ１１５は、画像処理部１１７によって画像処理された印刷データを記憶する。また、ＲＡＭ１１５には、ＲＡＭディスクが設定される。ＥＥＰＲＯＭ１１６には、各部の動作チェックや起動シーケンスを生成する制御プログラムなどが記憶されている。
【００１７】
画像処理部１１７は、スキャナー部１０１によって読み取られた画像データに対する画像処理（ラスタライズ）を行う。また、画像処理部１１７は、ＨＤＤ１０６のユーザーボックスに登録された印刷ジョブに対する画像処理（ラスタライズ）を行う。なお、システム制御部１２１は、画像処理部１１７が画像処理した印刷データを、一旦、ＲＡＭ１１５に記憶させる。
【００１８】
メモリー管理部１１８は、ＲＡＭ１１５の画像データ記憶領域を管理する。また、メモリー管理部１１８は、ＲＡＭ１１５の画像データ記憶領域に後述の図３（ａ）に示すＲＡＭ１１５の画像データ記憶領域にＲＡＭディスク用メモリー領域１１５ｅを割り当てる。これにより、ＲＡＭ１１５にＲＡＭディスクが作成される。また、メモリー管理部１１８は、システム制御部１２１の指示に従い、ＲＡＭディスク用メモリー領域１１５ｅのサイズ変更を行う。また、メモリー管理部１１８は、システム制御部１２１の指示に従い、後述の図３（ｂ）に示すＲＡＭディスク用メモリー領域１１５ｅのサイズ縮小に伴う空き領域１１５ｇを、優先設定された機能の使用領域として割り当てる。
【００１９】
パネル操作制御部１１９は、パネル部１０５の表示動作を制御する。また、パネル操作制御部１１９は、パネル部１０５を介し、印刷、コピー、ＦＡＸ、ネットワーク経由でのデータ送受信などの設定を受け付ける。また、パネル操作制御部１１９は、パネル部１０５を介し、ＲＡＭディスクのサイズ変更や、ＲＡＭディスクのサイズ縮小に伴う空き領域１１５ｇ（図３（ｂ）参照）に対しての機能の使用領域の割り当ての優先設定を受け付ける。
【００２０】
ＨＤＤ制御部１２０は、ＨＤＤ１０６に対するデータの読み出し及び書き込みなどを制御する。システム制御部１２１は、各部の連携動作などを制御する。また、システム制御部１２１は、パネル操作制御部１１９がパネル部１０５を介してＲＡＭディスクのサイズ変更を受け付けると、メモリー管理部１１８に対し、ＲＡＭディスク用メモリー領域１１５ｅのアドレスの変更及びサイズの変更を指示する。また、システム制御部１２１は、パネル操作制御部１１９がパネル部１０５を介してＲＡＭディスクのサイズ縮小に伴う空き領域１１５ｇ（図３（ｂ）参照）に対しての機能の使用領域の割り当ての優先設定を受け付けると、メモリー管理部１１８に対し、優先設定された機能の使用領域の割り当てを指示する。
【００２１】
次に、図２を参照し、パネル部１０５に表示されるＲＡＭディスクの設定画面の一例について説明する。まず、図２（ａ）は、ＲＡＭディスクのサイズを変更するＲＡＭディスクサイズ設定画面１０５Ａを示している。ＲＡＭディスクサイズ設定画面１０５Ａには、たとえば変更前のＲＡＭディスク用メモリー領域１１５ｅ（図３（ａ）参照）のサイズ（たとえば１６ＭＢ（Ｍｅｇａ  Ｂｙｔｅ））を１ＭＢに変更する際にタッチ操作する選択欄１０５ａと、１〜１６ＭＢの間でＲＡＭディスク用メモリー領域１１５ｅ（図３（ａ）参照）のサイズ（たとえば１６ＭＢ）を任意に設定する際にタッチ操作する選択欄１０５ｂとが表示される。ここで、たとえば選択欄１０５ａをタッチ操作すると、点線枠が実線枠に変更されることで、選択欄１０５ａが選択されたことを示す。これにより、変更前のＲＡＭディスク用メモリー領域１１５ｅ（図３（ａ）参照）のサイズが１ＭＢに変更される。
【００２２】
図２（ｂ）は、ＲＡＭディスク用メモリー領域１１５ｅの空き領域１１５ｇ（図３（ｂ）参照）に対する機能の使用領域の割り当ての優先設定を選択させるＲＡＭディスク優先設定画面１０５Ｂを示す図である。ここで、優先設定とは、ＲＡＭディスクのサイズ縮小に伴う空き領域１１５ｇに対し、機能の使用領域を優先的に割り当てることである。
【００２３】
ＲＡＭディスク優先設定画面１０５Ｂには、たとえばコピー優先の選択欄１０５ｃと、プリンター優先の選択欄１０５ｄと、ＦＡＸ優先の選択欄１０５ｅと、部数印刷優先の選択欄１０５ｆとが表示される。なお、それぞれの選択欄１０５ｃ〜１０５ｆには、ＯＮ／ＯＦＦ選択ボタンが表示される。このＯＮ／ＯＦＦ選択ボタンは、タッチ操作する度にＯＮ又はＯＦＦに切り替えられる。ここで、たとえばプリンター優先の選択欄１０５ｄのＯＮ／ＯＦＦ選択ボタンをタッチ操作すると、楕円の点線枠が実線枠に変更されることで、ＯＮに設定されたことを示す。
【００２４】
なお、選択欄１０５ｃ〜１０５ｆでの優先設定は、１個であってもよいし、複数であってもよい。優先設定が複数である場合、システム制御部１２１がメモリー管理部１１８に対し、ＲＡＭディスクのサイズ縮小に伴う空き領域１１５ｇを、優先設定された数に応じて分配（例えば、均等に分配）させる。また、選択欄１０５ｆの部数印刷とは、部単位で同じ原稿を２部以上印刷することである。すなわち、たとえば５ページの原稿を３部印刷する際、１ページ目を３枚、２ページ目を３枚・・・５ページ目を３枚という印刷方法（複数部数印刷）と、１ページ目から５ページ目までを連続印刷を３回繰り返す印刷方法（部単位印刷）とがあるが、後者を指す。ちなみに、複数部数印刷では印刷に関わるページのデータを印刷済みのデータと入れ替えることができるが、部単位印刷では５ページの原稿のデータを全て記憶させる必要がある。このため、部数印刷優先の選択欄１０５ｆを選択すると、５ページ分のデータの一部又は全てをＲＡＭディスクのサイズ縮小に伴う空き領域に記憶させることができる。
【００２５】
次に、図３を参照し、ＲＡＭ１１５のメモリーマップの一例について説明する。まず、図３（ａ）は、ＲＡＭディスクのサイズが１６ＭＢに割り当てられている場合を示している。図３（ａ）に示すように、ＲＡＭ１１５には、スキャナー用メモリー領域１１５ａと、プリンター用メモリー領域１１５ｂとＦＡＸ用メモリー領域１１５ｃと原稿蓄積用メモリー領域１１５ｄと、ＲＡＭディスク用メモリー領域１１５ｅと、システム領域１１５ｆとが予め割り当てられているとする。なお、システム領域１１５ｆ以外は、画像データ記憶領域である。
【００２６】
また、スキャナー用メモリー領域１１５ａと、プリンター用メモリー領域１１５ｂとＦＡＸ用メモリー領域１１５ｃと原稿蓄積用メモリー領域１１５ｄとは、それぞれ１００ＭＢに割り当てられているとする。ここで、ＲＡＭディスク用メモリー領域１１５ｅの利用方法については様々な形態があるが、その一つとして、たとえばＨＤＤ１０６を搭載していない場合、ＨＤＤ１０６の代わりのディスク装置として利用できる。また、図３（ａ）では、それぞれのメモリー領域１１５ａ〜１１５ｄが予め割り当てられている場合としているが、それぞれのメモリー領域１１５ａ〜１１５ｄは動的に割り当てられてもよい。
【００２７】
図３（ｂ）は、ＲＡＭディスク用メモリー領域１１５ｅのサイズが縮小された場合を示している。すなわち、図２（ａ）のＲＡＭディスクサイズ設定画面１０５Ａで、たとえば選択欄１０５ａがタッチ操作され、変更前のＲＡＭディスクのサイズである１６ＭＢが１ＭＢに変更された場合を示している。
【００２８】
この場合、ＲＡＭディスク用メモリー領域１１５ｅが１６ＭＢから１ＭＢに変更されることで、１５ＭＢの空き領域１１５ｇが生じる。ここで、図２（ｂ）のＲＡＭディスク優先設定画面１０５Ｂで、たとえばプリンター優先の選択欄１０５ｄをタッチ操作し、プリンター優先をＯＮに設定した場合、ＲＡＭディスク用メモリー領域１１５ｅの空き領域１１５ｇがプリンター（印刷機能）の使用領域として優先的に割り当てられる。これにより、プリンター（印刷機能）は、プリンター用メモリー領域１１５ｂの１００ＭＢと空き領域１１５ｇの１５ＭＢの合計１１５ＭＢが割り当てられることになる。
【００２９】
なお、ＲＡＭディスク用メモリー領域１１５ｅが１６ＭＢから１ＭＢに変更された場合において、図３（ｂ）に示すコピー優先をＯＮに設定した場合、上記と同様にしてコピー機能は、スキャナー用メモリー領域１１５ａの１００ＭＢと空き領域１１５ｇの１５ＭＢの合計１１５ＭＢが割り当てられる。また、図３（ｂ）に示すＦＡＸ優先をＯＮに設定した場合、上記と同様にしてＦＡＸ機能は、ＦＡＸ用メモリー領域１１５ｃの１００ＭＢと空き領域１１５ｇの１５ＭＢの合計１１５ＭＢが割り当てられる。また、図３（ｂ）に示す部数印刷優先をＯＮに設定した場合、上記と同様にしてプリンター（印刷機能）やコピー機能の原稿画像データの蓄積用のメモリー領域として、原稿蓄積用メモリー領域１１５ｄの１００ＭＢと空き領域１１５ｇの１５ＭＢの合計１１５ＭＢが割り当てられる。
【００３０】
次に、図４を参照し、ＲＡＭディスクのサイズ変更処理について説明する。なお、以下の説明においては、変更前のＲＡＭディスクのサイズがたとえば１０ＭＢに割り当てられていた場合で説明する。
【００３１】
（ステップＳ１０１）
システム制御部１２１は、ＲＡＭディスクのサイズ変更が有るかどうかを判断する。
この場合、システム制御部１２１は、パネル操作制御部１１９からのパネル部１０５を介しての図２（ａ）に示したＲＡＭディスクサイズ設定画面１０５Ａにおいて、たとえば選択欄１０５ａがタッチ操作されたことを示す通知が無ければＲＡＭディスクのサイズ変更が無いと判断する（ステップＳ１０１：Ｎｏ）。
これに対し、システム制御部１２１は、パネル操作制御部１１９からのパネル部１０５を介しての図２（ａ）に示したＲＡＭディスクサイズ設定画面１０５Ａにおいて、たとえば選択欄１０５ａがタッチ操作されたことを示す通知が有ればＲＡＭディスクのサイズ変更が有ると判断する（ステップＳ１０１：Ｙｅｓ）。
このとき、パネル操作制御部１１９は、１ＭＢに変更されたことをシステム制御部１２１に通知する。
【００３２】
（ステップＳ１０２）
システム制御部１２１は、サイズ縮小かどうかを判断する。
この場合、システム制御部１２１は、メモリー管理部１１８が管理しているＲＡＭディスク用メモリー領域１１５ｅのサイズを確認し、変更前のＲＡＭディスクのサイズがたとえば１０ＭＢであって、ＲＡＭディスクのサイズがたとえば１ＭＢに変更されたとき、サイズ縮小であると判断し（ステップＳ１０２：Ｙｅｓ）、ステップＳ１０３に移行する。
これに対し、システム制御部１２１は、メモリー管理部１１８が管理しているＲＡＭディスク用メモリー領域１１５ｅのサイズを確認し、変更前のＲＡＭディスクのサイズがたとえば１０ＭＢであって、ＲＡＭディスクのサイズがたとえば１４ＭＢに変更されたとき、サイズ縮小でないと判断し（ステップＳ１０２：：Ｎｏ）、ステップＳ１０６に移行する。
【００３３】
（ステップＳ１０３）
システム制御部１２１は、縮小されたサイズに変更させる。
この場合、システム制御部１２１は、メモリー管理部１１８に対し、ＲＡＭディスク用メモリー領域１１５ｅのサイズを１ＭＢに変更させる。
このとき、メモリー管理部１１８は、ＲＡＭディスク用メモリー領域１１５ｅの割り当てを、１ＭＢに変更する。
【００３４】
（ステップＳ１０４）
システム制御部１２１は、優先設定の選択が有るかどうかを判断する。
この場合、システム制御部１２１は、パネル操作制御部１１９からのパネル部１０５を介しての図２（ｂ）に示した選択欄１０５ｃ〜１０５ｆのいずれかがタッチ操作されたことを示す通知が無ければ優先設定の選択が無いと判断し（ステップＳ１０４：Ｎｏ）、処理を終了する。
これに対し、システム制御部１２１は、パネル操作制御部１１９からのパネル部１０５を介しての図２（ｂ）に示したたとえば選択欄１０５ｄがタッチ操作されたことを示す通知が有れば優先設定の選択が有ると判断し（ステップＳ１０４：Ｙｅｓ）、ステップＳ１０５に移行する。
このとき、パネル操作制御部１１９は、プリンター優先が選択されたことをシステム制御部１２１に通知する。
【００３５】
（ステップＳ１０５）
システム制御部１２１は、優先設定された機能の使用領域としての割り当てを指示する。
この場合、システム制御部１２１は、メモリー管理部１１８に対し、ＲＡＭディスクの空き領域１１５ｇをプリンター（印刷機能）の使用領域として優先的に割り当てるように指示する。
このとき、メモリー管理部１１８は、ＲＡＭディスクの空き領域１１５ｇをプリンター（印刷機能）の使用領域として割り当てる。これにより、プリンター（印刷機能）の使用領域は、プリンター用メモリー領域１１５ｂの１００ＭＢと空き領域１１５ｇの１５ＭＢの合計１１５ＭＢとなる。
【００３６】
（ステップＳ１０６）
システム制御部１２１は、増大されたサイズに変更させる。
この場合、システム制御部１２１は、メモリー管理部１１８に対し、ＲＡＭディスク用メモリー領域１１５ｅのサイズを増大されたサイズに変更させる。
すなわち、システム制御部１２１は、メモリー管理部１１８が管理しているＲＡＭディスク用メモリー領域１１５ｅのサイズを確認し、変更前のＲＡＭディスクのサイズがたとえば１０ＭＢであって、ＲＡＭディスクのサイズがたとえば１４ＭＢに変更されたとき、メモリー管理部１１８に対し、ＲＡＭディスク用メモリー領域１１５ｅのサイズを１４ＭＢに変更させる。
このとき、メモリー管理部１１８は、ＲＡＭディスク用メモリー領域１１５ｅの割り当てを、１１ＭＢに変更する。
【００３７】
（ステップＳ１０７）
システム制御部１２１は、空き領域１１５ｇが有るかどうかを判断する。
この場合、システム制御部１２１は、メモリー管理部１１８が管理しているＲＡＭディスク用メモリー領域１１５ｅのサイズを確認し、変更後のＲＡＭディスク用メモリー領域１１５ｅに空き領域１１５ｇが無いと判断した場合（ステップＳ１０７：Ｎｏ）、処理を終了する。
これに対し、システム制御部１２１は、メモリー管理部１１８が管理しているＲＡＭディスク用メモリー領域１１５ｅのサイズを確認し、変更後のＲＡＭディスク用メモリー領域１１５ｅに空き領域１１５ｇが有ると判断した場合（ステップＳ１０７：Ｙｅｓ）、ステップＳ１０４に移行する。
【００３８】
このように、本実施形態では、メモリー管理部１１８により、ＲＡＭ１１５（メモリー）の画像データ記憶領域を管理し、画像データ記憶領域にＲＡＭディスク用メモリー領域１１５ｅ（ＲＡＭディスク用のメモリー領域）を割り当て、パネル操作制御部１１９により、パネル部１０５を介し、機能の使用領域の割り当てを受け付け、システム制御部１２１により、パネル操作制御部１１９が機能の使用領域の割り当てを受け付けると、ＲＡＭディスク用メモリー領域１１５ｅ（ＲＡＭディスク用のメモリー領域）に空き領域１１５ｇが有る場合、メモリー管理部１１８に対し、空き領域１１５ｇを機能の使用領域に割り当てさせる。
【００３９】
これにより、ＲＡＭディスク用メモリー領域１１５ｅ（ＲＡＭディスク用のメモリー領域）に空き領域１１５ｇが有る場合、空き領域１１５ｇを任意の機能の使用領域に割り当てることができるので、ＲＡＭディスク用メモリー領域１１５ｅ（ＲＡＭディスク用のメモリー領域）を減らした場合に生ずる空き領域１１５ｇの用途を、ユーザーの要望に応じて決めることができる。
【００４０】
なお、本実施形態では、画像形成装置をＭＦＰ１００に適用させた場合で説明したが、プリンターや複合機などの他の画像形成装置に適用してもよいし、ＰＣ（ｐｅｒｓｏｎａｌ  ｃｏｍｐｕｔｅｒ）やスマートフォンなどの端末に適用してもよい。
【符号の説明】
【００４１】
１００  ＭＦＰ
１０１  スキャナー部
１０２  プリンター部
１０３  ＦＡＸ部
１０４  Ｉ／Ｆ
１０５  パネル部
１０６  ＨＤＤ
１０５Ａ  ＲＡＭディスクサイズ設定画面
１０５Ｂ  ＲＡＭディスク優先設定画面
１０５ａ〜１０５ｆ  選択欄
１１０  制御部
１１１  スキャナー制御部
１１２  プリンター制御部
１１３  ＦＡＸ制御部
１１４  通信制御部
１１５  ＲＡＭ
１１５ａ  スキャナー用メモリー領域
１１５ｂ  プリンター用メモリー領域
１１５ｃ  ＦＡＸ用メモリー領域
１１５ｄ  原稿蓄積用メモリー領域
１１５ｅ  ＲＡＭディスク用メモリー領域
１１５ｆ  システム領域
１１５ｇ  空き領域
１１６  ＥＥＰＲＯＭ
１１７  画像処理部
１１８  メモリー管理部
１１９  パネル操作制御部
１２０  ＨＤＤ制御部
１２１  システム制御部
１２２  データバス
【図１】
2018088053.tif 000003
【図２】
2018088053.tif 000004
【図３】
2018088053.tif 000005
【図４】
2018088053.tif 000006